(57)【要約】【課題】  筆記時にチップのガタつきが防止されて安定した筆記感が得られる一方、高い精度の部品寸法管理を必要としない出没式筆記具を提供すること。【解決手段】  本発明は、前端に開口を有する軸筒と、軸筒の軸方向に移動可能なチップホルダーと、チップホルダーの移動に伴って出没可能なチップと、チップホルダーの外周に遊嵌され軸方向に移動可能な環状部材と、チップホルダーと環状部材とを互いに相対移動可能に接続する弾性部材と、を備える。環状部材の外周の少なくとも一部には、前端に向かって先細状の当接面が形成されており、環状部材の一部には、切欠きが形成されており、前記当接面において荷重を受ける時に環状部材の内径が縮径するようになっている。前記軸筒の内面の一部には、前端に向かって先細状の案内面が形成されており、前記当接面は、前記チップホルダーの前端側への移動に伴って、前記案内面から前記荷重を受けるようになっている。【選択図】  図３
2019111657.tif 000002
【特許請求の範囲】
【請求項１】
前端に開口を有する軸筒と、
前記軸筒の内部に収容され、前記軸筒の軸方向に移動可能なチップホルダーと、
前記チップホルダーの前端に固定され、前記チップホルダーの移動に伴って前記軸筒の前記開口から出没可能なチップと、
前記チップホルダーまたは前記チップの外周に遊嵌され、当該チップホルダーまたは当該チップに対して当該チップホルダーまたは当該チップの軸方向に移動可能な環状部材と、
前記チップホルダーと前記環状部材とを互いに相対移動可能に接続する弾性部材と、
を備え、
前記環状部材の外周の少なくとも一部には、前記チップホルダーの前端側への移動に伴って前記軸筒の内面の一部に当接する当接面が形成されており、
前記環状部材の一部には、切欠きが形成されており、前記当接面において荷重を受ける時に当該環状部材の内径が縮径するようになっており、
前記軸筒の内面の一部には、前記チップホルダーの前端側への移動に伴って前記当接面が当接する案内面が形成されており、
前記当接面は、前記チップホルダーの前端側への移動に伴って、前記案内面から前記荷重を受けるようになっている
ことを特徴とする出没式筆記具。
【請求項２】
前記切欠きは、前記環状部材の周方向に等間隔に複数が配置されており、
前記複数の切欠きの各々は、前記環状部材の軸方向に延びるスリットである
ことを特徴とする請求項１に記載の出没式筆記具。
【請求項３】
前記当接面は、前端に向かって先細状であり、
前記案内面も、前端に向かって先細状である
ことを特徴とする請求項１または２に記載の出没式筆記具。
【請求項４】
前記当接面は、切頭円錐面を有している
ことを特徴とする請求項３に記載の出没式筆記具。
【請求項５】
前記弾性部材は、コイルバネである
ことを特徴とする請求項１乃至４のいずれかに記載の出没式筆記具。
【請求項６】
前記弾性部材は、軸方向に垂直な方向に延びるスリットが多数形成された筒状の樹脂バネ部材である
ことを特徴とする請求項１乃至４のいずれかに記載の出没式筆記具。
【請求項７】
前記環状部材は、前記樹脂バネ部材と一体成形されている
ことを特徴とする請求項６に記載の出没式筆記具。
【請求項８】
前記弾性部材と前記チップホルダーとは、環状カラーを介して接続されており、
前記弾性部材と前記環状カラーとが、互いに固定されており、
前記環状カラーと前記軸筒とが、第２弾性部材を介して互いに固定されている
ことを特徴とする請求項１乃至７のいずれかに記載の出没式筆記具。
【請求項９】
前記チップホルダーの移動に伴う前記第２弾性部材の変位量は、前記チップホルダーの移動に伴う前記弾性部材の変位量よりも大きい
ことを特徴とする請求項８に記載の出没式筆記具。
【請求項１０】
前端にチップが固定されたチップホルダーを軸方向に移動可能に収容可能であって、前端に開口を有し、前記チップホルダーの移動に伴って前記チップを前記開口から出没させることが可能な出没式筆記具用の軸筒であって、
前記チップホルダーを収容した状態において当該チップホルダーまたは前記チップの外周に遊嵌して、当該遊嵌時において当該チップホルダーまたは当該チップに対して当該チップホルダーまたは当該チップの軸方向に移動可能な環状部材と、
前記環状部材に弾性部材を介して接続され、前記チップホルダーの前端側への相対移動に伴って前記チップホルダーに当接可能な環状カラーと、
前記環状カラーを当該軸筒の内面に支持する第２弾性部材と、
を備え、
前記環状部材の外周の少なくとも一部には、前記チップホルダーの前端側への移動に伴って前記軸筒の内面の一部に当接する当接面が形成されており、
前記環状部材の一部には、切欠きが形成されており、前記当接面において荷重を受ける時に当該環状部材の内径が縮径するようになっており、
前記軸筒の内面の一部には、前記チップホルダーの前端側への移動に伴って前記当接面が当接する案内面が形成されており、
前記当接面は、前記チップホルダーの前端側への移動に伴って、前記案内面から前記荷重を受けるようになっている
ことを特徴とする出没式筆記具用の軸筒。
【請求項１１】
前記切欠きは、前記環状部材の周方向に等間隔に複数が配置されており、
前記複数の切欠きの各々は、前記環状部材の軸方向に延びるスリットである
ことを特徴とする請求項１０に記載の出没式筆記具用の軸筒。
【請求項１２】
前記当接面は、前端に向かって先細状であり、
前記案内面も、前端に向かって先細状である
ことを特徴とする請求項１０または１１に記載の出没式筆記具用の軸筒。
【請求項１３】
前記当接面は、切頭円錐面を有している
ことを特徴とする請求項１２に記載の出没式筆記具用の軸筒。
【請求項１４】
前記弾性部材は、コイルバネである
ことを特徴とする請求項１０乃至１３のいずれかに記載の出没式筆記具用の軸筒。
【請求項１５】
前記弾性部材は、軸方向に垂直な方向に延びるスリットが多数形成された筒状の樹脂バネ部材である
ことを特徴とする請求項１０乃至１３のいずれかに記載の出没式筆記具用の軸筒。
【請求項１６】
前記環状部材は、前記樹脂バネ部材と一体成形されている
ことを特徴とする請求項１５に記載の出没式筆記具用の軸筒。
【請求項１７】
前記チップホルダーの移動に伴う前記第２弾性部材の変位量は、前記チップホルダーの移動に伴う前記弾性部材の変位量よりも大きい
ことを特徴とする請求項１０乃至１６のいずれかに記載の出没式筆記具用の軸筒。
【発明の詳細な説明】
【技術分野】
【０００１】
本発明は、チップホルダーの移動に伴って軸筒の開口からチップが出没可能な出没式筆記具に関する。
【背景技術】
【０００２】
特許文献１には、筆記先端部の振れ防止装置が開示されている。当該装置の構成は、筆記先端部の適宜位置に凹溝を設け、軸筒先端部の内径とほぼ等しい外径の弾性を有するＯリングを前記凹溝に嵌着したものである。当該装置によれば、鉛筆タイプ及びノック式筆記具において、筆記時の筆記先端部が軸筒先端部の先端孔に当接しておこるガタツキ音を防止することができる。
【０００３】
特許文献２にも、筆記先端部の振れ防止装置が開示されている。当該装置の構成は、軸筒の先端内に設けた係止段部に、筆記先端部外径より僅かに小内径の弾性リングを係合したものである。当該装置によれば、弾性リングが筆記先端部を係止するため、軸筒の先端内径と筆記先端部との間に隙間があっても、筆記時にガタつく事を防止することができる。
【０００４】
特許文献３には、軸筒に対し前後方向に摺動して該軸筒の開口部から筆記体の筆記部を繰り出す筆記具が開示されている。筆記体の先端部外周に環状部材が配設されていて、筆記部が出没する軸筒先端の開口部周辺の内側面に、環状部材が当接する略球面状の内面が形成されている。環状部材は、筆記体に対してスプリングを介して固定されていて、前方に向けて付勢されている。筆記部が繰り出されると、スプリングの弾発力によって環状部材が軸筒先端の内側面に密着される。これにより、筆記時にガタつく事を防止することができる。
【先行技術文献】
【特許文献】
【０００５】
【特許文献１】実開平５−８５６８３
【特許文献２】実開平５−９３８８４
【特許文献３】特開２０１３−２２０６０２
【発明の概要】
【発明が解決しようとする課題】
【０００６】
特許文献１及び特許文献２に開示された技術では、Ｏリングが径方向に変形し得るため、ガタつきを防止する効果が不十分である。また、Ｏリングの表面に筆記部が食いついてしまうことがあり、繰り出した筆記部をスムーズに収納することができない場合がある。
【０００７】
一方、特許文献３に開示された技術では、筆記時のガタツキを防止する効果を高めるためには、環状部材の内面と筆記部の外周面との間の寸法関係を適切に管理する必要がある。例えば、筆記部の外周面と軸筒の先端部内面との間の隙間寸法より筆記部の外周面と環状部材の内面との間の隙間寸法の方が大きければ、筆記時のガタツキを防止する効果を得られない。このため、高い寸法精度が要求され、生産性の点で問題がある。
【０００８】
本発明は、以上のような知見に鑑みてなされたものであり、その目的とするところは、筆記時にチップのガタつきが防止されて安定した筆記感が得られる一方、高い精度の部品寸法管理を必要としない出没式筆記具を提供することである。
【課題を解決するための手段】
【０００９】
本発明は、前端に開口を有する軸筒と、前記軸筒の内部に収容され、前記軸筒の軸方向に移動可能なチップホルダーと、前記チップホルダーの前端に固定され、前記チップホルダーの移動に伴って前記軸筒の前記開口から出没可能なチップと、前記チップホルダーまたは前記チップの外周に遊嵌され、当該チップホルダーまたは当該チップに対して当該チップホルダーまたは当該チップの軸方向に移動可能な環状部材と、前記チップホルダーと前記環状部材とを互いに相対移動可能に接続する弾性部材と、を備え、前記環状部材の外周の少なくとも一部には、前記チップホルダーの前端側への移動に伴って前記軸筒の内面の一部に当接する当接面が形成されており、前記環状部材の一部には、切欠きが形成されており、前記当接面において荷重を受ける時に当該環状部材の内径が縮径するようになっており、前記軸筒の内面の一部には、前記チップホルダーの前端側への移動に伴って前記当接面が当接する案内面が形成されており、前記当接面は、前記チップホルダーの前端側への移動に伴って、前記案内面から前記荷重を受けるようになっていることを特徴とする出没式筆記具である。
【００１０】
本発明によれば、チップホルダーの前端側への移動に伴って環状部材の当接面が軸筒の案内面から荷重を受けることによって、環状部材の切欠きの存在によって環状部材の内径が縮径する。これにより、軸筒と環状部材とが協働してチップまたはチップホルダーをガタつき（遊び）の無い態様で把持することができる。更に、チップホルダーと環状部材とが弾性部材によって互いに相対移動可能に接続されていることにより、環状部材の内径の縮径の程度等について高精度の寸法管理をしなくても、チップまたはチップホルダーをガタつき（遊び）の無い態様で効果的に把持することを保証できる。
【００１１】
好ましくは、前記切欠きは、前記環状部材の周方向に等間隔に複数が配置されており、前記複数の切欠きの各々は、前記環状部材の軸方向に延びるスリットである。この場合、環状部材の内径が周方向にバランス良く縮径することができる。
【００１２】
前記当接面は、前端に向かって先細状であることが好ましく、前記案内面も、前端に向かって先細状であることが好ましい。前記当接面は、例えば切頭円錐面を有していることが好ましい。この場合、前記案内面は、対応する凹切頭円錐面であることが好ましい。あるいは、前記当接面は、軸線周りに回転対称な凸曲面を有していることが好ましい。この場合、前記案内面は、軸線周りに回転対称であって前記凸曲面の曲率よりも緩やかな曲率の凹曲面または凹切頭円錐面であることが好ましい。
【００１３】
また、好ましくは、前記弾性部材は、コイルバネである。あるいは、好ましくは、前記弾性部材は、軸方向に垂直な方向に延びるスリットが多数形成された筒状の樹脂バネ部材である。後者の場合、環状部材と樹脂バネ部材とは、同一樹脂材料から一体成形されていてもよい。
【００１４】
また、好ましくは、前記弾性部材と前記チップホルダーとは、環状カラーを介して接続されていてもよい。この場合、前記弾性部材と前記環状カラーとが、互いに固定されており、前記環状カラーと前記軸筒とが、第２弾性部材を介して互いに固定されていることが好ましい。これによれば、チップホルダーと環状カラーとを固定させておく必要がないため、従来のチップホルダーを有する既存の交換用レフィルをも利用することができる。なお、当該構成において、チップホルダーの移動に伴う第２弾性部材の変位量は、チップホルダーの移動に伴う弾性部材の変位量よりも大きい。
【００１５】
また、本発明は、以上の出没式筆記具の軸筒のみをも対象とするものである。すなわち、本発明は、前端にチップが固定されたチップホルダーを軸方向に移動可能に収容可能であって、前端に開口を有し、前記チップホルダーの移動に伴って前記チップを前記開口から出没させることが可能な出没式筆記具用の軸筒であって、前記チップホルダーを収容した状態において当該チップホルダーまたは前記チップの外周に遊嵌して、当該遊嵌時において当該チップホルダーまたは当該チップに対して当該チップホルダーまたは当該チップの軸方向に移動可能な環状部材と、前記環状部材に弾性部材を介して接続され、前記チップホルダーに当接可能な環状カラーと、前記環状カラーを当該軸筒の内面に支持する第２弾性部材と、を備え、前記環状部材の外周の少なくとも一部には、前端に向かって先細状の当接面が形成されており、前記環状部材の一部には、切欠きが形成されており、前記当接面において荷重を受ける時に当該環状部材の内径が縮径するようになっており、当該軸筒の内面の一部には、前端に向かって先細状の案内面が形成されており、前記当接面は、前記チップホルダーの前端側への移動に伴って、前記案内面から前記荷重を受けるようになっていることを特徴とする出没式筆記具用の軸筒である。
【発明の効果】
【００１６】
本発明によれば、チップホルダーの前端側への移動に伴って環状部材の当接面が軸筒の案内面から荷重を受けることによって、環状部材の切欠きの存在によって環状部材の内径が縮径する。これにより、軸筒と環状部材とが協働してチップまたはチップホルダーをガタつき（遊び）の無い態様で把持することができる。更に、チップホルダーと環状部材とが弾性部材によって互いに相対移動可能に接続されていることにより、環状部材の内径の縮径の程度等について高精度の寸法管理をしなくても、チップまたはチップホルダーをガタつき（遊び）の無い態様で効果的に把持することを保証できる。
【図面の簡単な説明】
【００１７】
【図１】本発明の第１実施形態における出没式筆記具の概略縦断面図であって、チップ（筆記体）が突出していない状態を示す図である。
【図２】図２（ａ）は、図１の出没式筆記具の先端部分の拡大縦断面図である。図２（ｂ）は、図２（ａ）のＡ−Ａ線断面図である。
【図３】図３（ａ）は、チップ（筆記体）が突出した状態における図１の出没式筆記具の先端部分の拡大縦断面図である。図３（ｂ）は、図３（ａ）のＢ−Ｂ線断面図である。
【図４】図４（ａ）は、図１の出没式筆記具の環状部材の斜視図である。図４（ｂ）は、図４（ａ）の環状部材の側面図である。図４（ｃ）は、図４（ｂ）のＣ−Ｃ線断面図である。図４（ｄ）は、図４（ａ）の環状部材の正面図（先端側から見た図）である。図４（ｅ）は、図４（ａ）の環状部材の背面図である。
【図５】図１の出没式筆記具において、交換等のためチップホルダーを引き抜いた状態を示す概略図である。
【図６】本発明の第２実施形態における出没式筆記具の概略縦断面図であって、チップ（筆記体）が突出していない状態を示す図である。
【図７】図６の出没式筆記具の先端部分の拡大縦断面図である。
【図８】チップ（筆記体）が突出した状態における図６の出没式筆記具の先端部分の拡大縦断面図である。
【図９】図９（ａ）は、図６の出没式筆記具の環状部材の斜視図である。図９（ｂ）は、図９（ａ）の環状部材の側面図である。図９（ｃ）は、図９（ｂ）のＣ−Ｃ線断面図である。図９（ｄ）は、図９（ａ）の環状部材の正面図（先端側から見た図）である。図９（ｅ）は、図９（ａ）の環状部材の背面図である。図９（ｆ）は、図９（ｂ）のＦ−Ｆ線断面図である。図９（ｇ）は、図９（ｂ）のＧ−Ｇ線断面図である。図９（ｈ）は、図９（ｃ）のＨ部の拡大図である。
【図１０】図６の出没式筆記具において、交換等のためチップホルダーを引き抜いた状態を示す概略図である。
【図１１】本発明の第３実施形態における出没式筆記具の概略縦断面図であって、チップ（筆記体）が突出していない状態を示す図である。
【図１２】図１１の出没式筆記具の先端部分の拡大縦断面図である。
【図１３】チップ（筆記体）が突出した状態における図１１の出没式筆記具の先端部分の拡大縦断面図である。
【図１４】図１４（ａ）は、図１１の出没式筆記具の環状部材とコイルバネとカラー部材の斜視図である。図１４（ｂ）は、図１４（ａ）の環状部材とコイルバネとカラー部材の側面図である。図１４（ｃ）は、図１４（ａ）の環状部材とコイルバネとカラー部材の正面図（先端側から見た図）である。図１４（ｄ）は、図４１（ａ）の環状部材とコイルバネとカラー部材の背面図である。
【図１５】図１１の出没式筆記具において、交換等のためチップホルダーを引き抜いた状態を示す概略図である。
【図１６】本発明の第４実施形態における出没式筆記具の概略縦断面図であって、チップ（筆記体）が突出していない状態を示す図である。
【図１７】図１６の出没式筆記具の先端部分の拡大縦断面図である。
【図１８】チップ（筆記体）が突出した状態における図１６の出没式筆記具の先端部分の拡大縦断面図である。
【図１９】図１９（ａ）は、図１６の出没式筆記具の環状部材の斜視図である。図１９（ｂ）は、図１９（ａ）の環状部材の側面図である。図１９（ｃ）は、図１９（ｂ）のＣ−Ｃ線断面図である。図１９（ｄ）は、図１９（ａ）の環状部材の正面図（先端側から見た図）である。図１９（ｅ）は、図１９（ａ）の環状部材の背面図である。図１９（ｆ）は、図９（ｃ）のＦ部の拡大図である。
【図２０】図１６の出没式筆記具において、交換等のためチップホルダーを引き抜いた状態を示す概略図である。
【発明を実施するための形態】
【００１８】
以下、図面を参照して本発明の４つの実施の形態について説明する。  
【００１９】
＜第１実施形態＞
図１は、本発明の第１実施形態における出没式筆記具１０の概略縦断面図であって、チップ１４（筆記体）が突出していない状態を示す図である。図２（ａ）は、本実施形態の出没式筆記具１０の先端部分の拡大縦断面図であり、図２（ｂ）は、図２（ａ）のＡ−Ａ線断面図である。図３（ａ）は、チップ１４（筆記体）が突出した状態における本実施形態の出没式筆記具１０の先端部分の拡大縦断面図であり、図３（ｂ）は、図３（ａ）のＢ−Ｂ線断面図である。
【００２０】
また、図４（ａ）は、本実施形態の出没式筆記具１０の環状部材１５の斜視図であり、図４（ｂ）は、環状部材１５の側面図であり、図４（ｃ）は、図４（ｂ）のＣ−Ｃ線断面図であり、図４（ｄ）は、環状部材１５の正面図（先端側から見た図）であり、図４（ｅ）は、環状部材１５の背面図である。
【００２１】
更に、図５は、本実施形態の出没式筆記具１０において、交換等のためチップホルダー１３を引き抜いた状態を示す概略図である。
【００２２】
図１乃至図５に示す第１実施形態の出没式筆記具１０は、前端に開口を有する円筒形状の軸筒１１を備えている。図１乃至図３に示すように、当該軸筒１１は、本実施形態では、後方部１１ａ、内筒部１１ｂ、前方部１１ｃ及び口金部１１ｄを有しており、後方部１１ａと内筒部１１ｂとは、ネジ結合（螺合）によって取り外し可能に固定されており、内筒部１１ｂと前方部１１ｃとは、二色成形により一体に形成されている。もっとも、後方部１１ａと内筒部１１ｂとは、嵌め合い結合によって固定されていてもよいし、一体に形成されていてもよい。内筒部１１ｂと前方部１１ｃも、嵌め合い結合によって固定されていてもよい。一方、口金部１１ｄは、ネジ結合（螺合）によって、内筒部１１ｂに取り外し可能に固定されている。口金部１１ｄの材質は、金属に限らず、樹脂でもよい。
【００２３】
軸筒１１の内部には、軸筒１１の軸方向に移動可能なチップホルダー１３が収容されている。チップホルダー１３の前端に、筆記体であるチップ１４が固定されている。チップ１４は、チップホルダー１３の移動に伴って、図２（ａ）及び図３（ａ）に示すように、軸筒１１の開口から出没可能となっている。
【００２４】
チップホルダー１３は、図５に示すように、基端側から先端側に向かって、基端部１３ａ、第１カラー部１３ｂ、第２カラー部１３ｃ、バネ固定補助部１３ｆ及び先端部１３ｄを当該順序で有している。基端部１３ａ、第１カラー部１３ｂ、第２カラー部１３ｃ、バネ固定補助部１３ｆ及び先端部１３ｄは、本実施形態ではいずれも円筒形状の部位であり、それらの断面直径の相互関係は、基端部１３ａ＞第１カラー部１３ｂ＞第２カラー部１３ｃ＞バネ固定補助部１３ｆ＞先端部１３ｄとなっている。
【００２５】
本実施形態では、特に図２（ｂ）に示すように、チップホルダー１３の先端部１３ｄの外周に樹脂製（例えばポリアセタール製）または金属製（例えば真鍮製）の環状部材１５が遊嵌されている。環状部材１５は、同様にチップホルダー１３の先端部１３ｄの外周を遊嵌状態で（僅かな隙間を空けて）取り囲むコイルバネ１６（弾性部材の一例）を介して、チップホルダー１３の第２カラー部１３ｃに固定されている。これにより、図２（ａ）及び図３（ａ）に示すように、コイルバネ１６の伸縮変形に伴って、環状部材１５は、チップホルダー１３の先端部１３ｄに対して当該チップホルダー１３の軸方向に移動可能となっている。
【００２６】
本実施形態のチップホルダー１３には、コイルバネ１６と第２カラー部１３ｃとの固定を補助するために、バネ固定補助部１３ｆが設けられている。
【００２７】
また、特に図４（ａ）乃至図４（ｅ）に示すように、環状部材１５の外周の前方側領域には、前端に向かって先細状の当接面として切頭円錐面状の当接面１５ｔが形成されている。当該当接面１５ｔの後方側には、大外径円筒部１５ａが連続して設けられ、更にその後方側には、小外径円筒部１５ｂが段差を介して設けられている。
【００２８】
本実施形態の環状部材１５には、切欠きとして、４本のスリット１５ｓが設けられている。図４（ａ）乃至図４（ｅ）に示すように、４本のスリット１５ｓは、環状部材１５の周方向に等間隔に（９０°おきに）配置されている。また、４本のスリット１５ｓは、いずれも、環状部材１５の軸方向に前端から小径円筒部１５ｂの略中央まで延びている。これにより、当接面１５ｔにおいて荷重を受ける時、環状部材１５の内径は柔軟に縮径するようになっており、且つ、当該荷重が解除される時、環状部材１５の内径は弾性的に復帰するようになっている。
【００２９】
また、図２（ａ）及び図３（ａ）に示すように、軸筒１１の口金部１１ｄの内面の一部に、前端に向かって先細状の案内面として凹切頭円錐面状の案内面１１ｔが形成されている。これにより、当接面１５ｔは、チップホルダー１３の前端側への移動に伴って（図２（ａ）→図３（ａ））、案内面１１ｔから荷重を受けるようになっている。
【００３０】
その他、本実施形態の出没式筆記具１０には、チップ１４の没入操作（例えばチップ１４の突出状態を維持するロック機構を解除するための筆記具後端部に設けられた押圧ボタンの押圧操作）がなされた時に、チップホルダー１３を自動的に没入させるための第２コイルバネ１２（第２弾性部材）が設けられている。第２コイルバネ１２は、コイルバネ１６の更に外周を取り囲むように、口金部１１ｄの内面に設けられた肩部と、チップホルダー１３の第１カラー部１３ｂと、の間に挿嵌されている。
【００３１】
第２コイルバネ１２は、口金部１１ｄの内面に固定されていてもよいし、フリーな状態（いずれの部材にも固定されていない状態）であってもよい。あるいは、チップホルダー１３の第１カラー部１３ｂの方に固定されていてもよい。
【００３２】
以上のような構成の出没式筆記具１０は、以下のように作用する。
【００３３】
非使用時においては、出没式筆記具１０のチップ１４（筆記体）は、図２（ａ）に示すような没入状態にある。コイルバネ１６の軸方向長さは、８．２ｍｍであり、第２コイルバネ１２の軸方向長さは、１６．４ｍｍである。そして、チップの突出操作（例えば筆記具後端部に設けられた押圧ボタンの押圧操作）がなされると、出没式筆記具１０のチップ１４（筆記体）は、図３（ａ）に示すような突出状態になる。通常は、当該突出状態においてチップホルダー１３の位置がロックされ、その後にチップの没入操作がなされるまで、チップ１４の突出状態が維持される。コイルバネ１６の軸方向長さは、５．６ｍｍであり（２．６ｍｍ圧縮）、第２コイルバネ１２の軸方向長さは、９．４ｍｍである（７．０ｍｍ圧縮）。
【００３４】
図２（ａ）の没入状態から図３（ａ）の突出状態に至る過程において、チップホルダー１３の前端側への移動に伴って、環状部材１５の当接面１５ｔが口金部１１ｄの案内面１１ｔから荷重を受ける。この時、環状部材１５の４本のスリット１５ｓの存在によって、環状部材１５の内径が縮径する（図２（ｂ）→図３（ｂ））。この結果、図３（ｂ）に示すように、口金部１１ｄと環状部材１５とが協働して、チップホルダー１３の先端部１３ｄをガタつき（遊び）の無い態様で把持することができる。
【００３５】
更に、チップホルダー１３と環状部材１５とがコイルバネ１６によって互いに相対移動可能に接続されているため、環状部材１５の内径の縮径の程度等について高精度の寸法管理をしなくても、チップホルダー１３の先端部１３ｄをガタつき（遊び）の無い態様で効果的に把持することを保証できる。
【００３６】
その後、チップの没入操作（例えば筆記具後端部に設けられた押圧ボタンの再押圧操作）がなされると、例えば不図示のロック機構が解除され、出没式筆記具１０のチップ１４（筆記体）は第２コイルスプリング１２の作用によって図２（ａ）に示す没入状態に戻る。
【００３７】
図３（ａ）の突出状態から図２（ａ）の没入状態に至る過程において、チップホルダー１３の後端側への移動に伴って、環状部材１５の当接面１５ｔが口金部１１ｄの案内面１１ｔから受けていた荷重が消失する。これに伴って、縮径していた環状部材１５の内径が元の状態に戻る（図３（ｂ）→図２（ｂ））。
【００３８】
以上の通り、本実施形態の出没式筆記具１０によれば、チップホルダー１３の前端側への移動に伴って環状部材１５の当接面１５ｔが口金部１１ｄの案内面１１ｔから荷重を受けることによって、環状部材１５のスリット１５ｓの存在によって環状部材１５の内径が縮径する。これにより、口金部１１ｄと環状部材１５とが協働してチップホルダー１３の先端部１３ｄをガタつき（遊び）の無い態様で把持することができる。更に、チップホルダー１３と環状部材１５とがコイルバネ１６によって互いに相対移動可能に接続されていることにより、環状部材１５の内径の縮径の程度等について高精度の寸法管理をしなくても、チップホルダー１３の先端部１３ｄをガタつき（遊び）の無い態様で効果的に把持することを保証できる。
【００３９】
また、本実施形態の出没式筆記具１０によれば、切欠きとしての４本のスリット１５ｓが環状部材１５の周方向に等間隔に配置されており、各スリット１５ｓが環状部材１５の軸方向に延びているため、環状部材１５の内径が周方向にバランス良く縮径することができる。
【００４０】
また、当接面１５ｔと案内面１１ｔとが、互いに対応する切頭円錐面状と凹切頭円錐面状であることにより、環状部材１５の当接面１５ｔは周方向にバランスよく荷重を受けることができ、結果的に環状部材１５が周方向にバランス良く縮径することができる。このように、当接面１５ｔと案内面１１ｔとは、互いに前端に向かって先細状であることが好ましい。先細状の当接面１５ｔは、円柱状の環状部材１５の前端外周にＲを設けることでも、形成され得る。また、先細状の当接面１５ｔは、軸線周りに回転対称な凸曲面を有していて、先細状の案内面１１ｔは、軸線周りに回転対称であって前記凸曲面の曲率よりも緩やかな曲率の凹曲面または凹切頭円錐面であってもよい。
【００４１】
なお、本実施形態の出没式筆記具１０では、環状部材１５がチップホルダー１３の先端部１３ｄの領域で軸方向に移動可能であって、環状部材１５が縮径する時にはチップホルダー１３の先端部１３ｄの領域を把持するようになっているが、本発明はこれに限定されない。例えば、環状部材１５がチップ１４の領域で軸方向に移動可能であって、環状部材１５が縮径する時にチップ１４の領域を把持するようになっていてもよい。
【００４２】
また、スリット１５ｓの数、サイズ、形状等を適宜に変更することによって、環状部材１５の弾性（縮径のしやすさ）の程度を調整することができる。また、環状部材１５の材料及び／または肉厚を変更することによっても、環状部材１５の弾性（縮径のしやすさ）の程度を調整することができる。
【００４３】
＜第２実施形態＞
図６は、本発明の第２実施形態における出没式筆記具２０の概略縦断面図であって、チップ２４（筆記体）が突出していない状態を示す図である。図７は、本実施形態の出没式筆記具２０の先端部分の拡大縦断面図である。図８は、チップ２４（筆記体）が突出した状態における本実施形態の出没式筆記具２０の先端部分の拡大縦断面図である。
【００４４】
また、図９（ａ）は、本実施形態の出没式筆記具２０の環状部材２５の斜視図であり、図９（ｂ）は、環状部材２５の側面図であり、図９（ｃ）は、図９（ｂ）のＣ−Ｃ線断面図であり、図９（ｄ）は、環状部材２５の正面図（先端側から見た図）であり、図９（ｅ）は、環状部材２５の背面図である。更に、図９（ｆ）は、図９（ｂ）のＦ−Ｆ線断面図であり、図９（ｇ）は、図９（ｂ）のＧ−Ｇ線断面図であり、図９（ｈ）は、図９（ｃ）のＨ部の拡大図である。
【００４５】
更に、図１０は、本実施形態の出没式筆記具２０において、交換等のためチップホルダー２３を引き抜いた状態を示す概略図である。
【００４６】
図６乃至図１０に示す第２実施形態の出没式筆記具２０は、第１実施形態と同様、前端に開口を有する円筒形状の軸筒１１を備えている。図６乃至図８に示すように、当該軸筒１１は、本実施形態においても、後方部１１ａ、内筒部１１ｂ、前方部１１ｃ及び口金部１１ｄを有しており、後方部１１ａと内筒部１１ｂとは、ネジ結合（螺合）によって取り外し可能に固定されており、内筒部１１ｂと前方部１１ｃとは、二色成形により一体に形成されている。もっとも、後方部１１ａと内筒部１１ｂとは、嵌め合い結合によって固定されていてもよいし、一体に形成されていてもよい。内筒部１１ｂと前方部１１ｃも、嵌め合い結合によって固定されていてもよい。一方、口金部１１ｄは、ネジ結合（螺合）によって、内筒部１１ｂに取り外し可能に固定されている。口金部１１ｄの材質は、金属に限らず、樹脂でもよい。
【００４７】
軸筒１１の内部には、軸筒１１の軸方向に移動可能なチップホルダー２３が収容されている。チップホルダー２３の前端に、筆記体であるチップ２４が固定されている。チップ２４は、チップホルダー２３の移動に伴って、図７及び図８に示すように、軸筒１１の開口から出没可能となっている。
【００４８】
チップホルダー２３は、図１０に示すように、基端側から先端側に向かって、基端部２３ａ、第１カラー部２３ｂ、第２カラー部２３ｃ及び先端部２３ｄを当該順序で有している。基端部２３ａ、第１カラー部２３ｂ、第２カラー部２３ｃ及び先端部２３ｄは、本実施形態ではいずれも円筒形状の部位であり、それらの断面直径の相互関係は、基端部２３ａ＞第１カラー部２３ｂ＞第２カラー部２３ｃ＞先端部２３ｄとなっている。
【００４９】
本実施形態では、特に図７に示すように、チップホルダー２３の先端部２３ｄの外周に樹脂製（例えばポリアセタール製）の環状部材２５が遊嵌されている。本実施形態の環状部材２５は、その基端側において、筒状の樹脂バネ部２６ｅと一体成形されている。樹脂バネ部２６ｅには、軸方向に垂直な方向に延びるスリット２６ｓが多数形成されており、軸方向に伸縮可能となっている。
【００５０】
図９（ａ）乃至図９（ｈ）に示すように、本実施形態の樹脂バネ部２６ｅは、上下に向き合う略半円状のスリット２６ｓの対（図９（ｆ）参照）と、左右に向き合う略半円状のスリット２６ｓの対（図９（ｇ）参照）とが、軸方向に１対毎に交互に、それぞれ６対ずつ形成されている。対をなすスリット２６ｓ同士の間の残部は、リブ２６ｂと呼ばれている。また、本実施形態では、各スリット２６ｓの幅（軸方向長さ）は均一で、軸方向に隣接するスリット２６ｓ間の軸方向間隔も均一で、前者は後者よりも僅かに小さい。もっとも、これらの寸法上の関係は、所望の弾性程度を実現するべく、後述のように適宜に調整され得る。
【００５１】
樹脂バネ部２６ｅの更に基端側は、チップホルダー２３の第２カラー部２３ｃに固定されている。これにより、図７及び図８に示すように、樹脂バネ部２６ｅの伸縮変形に伴って、環状部材２５は、チップホルダー２３の先端部２３ｄに対して当該チップホルダー２３の軸方向に移動可能となっている。
【００５２】
また、特に図９（ａ）乃至図９（ｅ）に示すように、環状部材２５の外周の前方側領域には、前端に向かって先細状の当接面として切頭円錐面状の当接面２５ｔが形成されている。当該当接面２５ｔの後方側には、円筒部２５ａが連続して設けられ、更にその後方側に、円筒部２５ａと同径の筒状の樹脂バネ部２６ｅが設けられている。また、特に図９（ｈ）に示すように、樹脂バネ部２６ｅの内径２６ｒは、当接面２５ｔに対応する部位の内径２５ｒよりも大きくなっている。
【００５３】
本実施形態の環状部材２５には、切欠きとして、４本のスリット２５ｓが設けられている。図９（ａ）乃至図９（ｅ）に示すように、４本のスリット２５ｓは、環状部材２５の周方向に等間隔に（９０°おきに）配置されている。また、４本のスリット２５ｓは、いずれも、環状部材２５の軸方向に前端から円筒部２５ａの後端近傍まで延びている。これにより、当接面２５ｔにおいて荷重を受ける時、環状部材２５の内径は柔軟に縮径するようになっており、且つ、当該荷重が解除される時、環状部材２５の内径は弾性的に復帰するようになっている。
【００５４】
また、図７及び図８に示すように、軸筒１１の口金部１１ｄの内面の一部に、前端に向かって先細状の案内面として凹切頭円錐面状の案内面１１ｔが形成されている。これにより、当接面２５ｔは、チップホルダー２３の前端側への移動に伴って（図７→図８）、案内面１１ｔから荷重を受けるようになっている。
【００５５】
その他、本実施形態の出没式筆記具２０においても、チップ２４の没入操作（例えばチップ２４の突出状態を維持するロック機構を解除するための筆記具後端部に設けられた押圧ボタンの押圧操作）がなされた時に、チップホルダー２３を自動的に没入させるための第２コイルバネ１２（第２弾性部材）が設けられている。第２コイルバネ１２は、環状部材２５の更に外周を取り囲むように、口金部１１ｄの内面に設けられた肩部と、チップホルダー２３の第１カラー部２３ｂと、の間に挿嵌されている。
【００５６】
第２コイルバネ１２は、口金部１１ｄの内面に固定されていてもよいし、フリーな状態（いずれの部材にも固定されていない状態）であってもよい。あるいは、チップホルダー２３の第１カラー部２３ｂの方に固定されていてもよい。
【００５７】
以上のような構成の出没式筆記具２０は、以下のように作用する。
【００５８】
非使用時においては、出没式筆記具２０のチップ２４（筆記体）は、図７に示すような没入状態にある。樹脂バネ部２６ｅを含む環状部材２５の軸方向長さは、９．２ｍｍであり、第２コイルバネ１２の軸方向長さは、１６．４ｍｍである。そして、チップの突出操作（例えば筆記具後端部に設けられた押圧ボタンの押圧操作）がなされると、出没式筆記具２０のチップ２４（筆記体）は、図８に示すような突出状態になる。通常は、当該突出状態においてチップホルダー２３の位置がロックされ、その後にチップの没入操作がなされるまで、チップ２４の突出状態が維持される。樹脂バネ部２６ｅを含む環状部材２５の軸方向長さは、８．５ｍｍであり（０．７ｍｍ圧縮）、第２コイルバネ１２の軸方向長さは、９．４ｍｍである（７．０ｍｍ圧縮）。
【００５９】
図７の没入状態から図８の突出状態に至る過程において、チップホルダー２３の前端側への移動に伴って、環状部材２５の当接面２５ｔが口金部１１ｄの案内面１１ｔから荷重を受ける。この時、環状部材２５の４本のスリット２５ｓの存在によって、環状部材２５の内径が縮径する（図３（ｂ）参照）。この結果、図８に示すように、口金部１１ｄと環状部材２５とが協働して、チップホルダー２３の先端部２３ｄをガタつき（遊び）の無い態様で把持することができる。
【００６０】
更に、チップホルダー２３と環状部材２５の当接面２５ｔとは樹脂バネ部２６の伸縮作用によって互いに相対移動可能であるため、環状部材２５の内径の縮径の程度等について高精度の寸法管理をしなくても、チップホルダー２３の先端部２３ｄをガタつき（遊び）の無い態様で効果的に把持することを保証できる。
【００６１】
その後、チップの没入操作（例えば筆記具後端部に設けられた押圧ボタンの再押圧操作）がなされると、例えば不図示のロック機構が解除され、出没式筆記具２０のチップ２４（筆記体）は第２コイルスプリング１２の作用によって図７に示す没入状態に戻る。
【００６２】
図８の突出状態から図７の没入状態に至る過程において、チップホルダー２３の後端側への移動に伴って、環状部材２５の当接面２５ｔが口金部１１ｄの案内面１１ｔから受けていた荷重が消失する。これに伴って、縮径していた環状部材２５の内径が元の状態に戻る（図８→図７）。
【００６３】
以上の通り、本実施形態の出没式筆記具２０によれば、チップホルダー２３の前端側への移動に伴って環状部材２５の当接面２５ｔが口金部１１ｄの案内面１１ｔから荷重を受けることによって、環状部材２５のスリット２５ｓの存在によって環状部材２５の内径が縮径する。これにより、口金部１１ｄと環状部材２５とが協働してチップホルダー２３の先端部２３ｄをガタつき（遊び）の無い態様で把持することができる。更に、チップホルダー２３と環状部材２５の当接面２５ｔとが樹脂バネ部２６ｅによって互いに相対移動可能に接続されていることにより、環状部材２５の内径の縮径の程度等について高精度の寸法管理をしなくても、チップホルダー２３の先端部２３ｄをガタつき（遊び）の無い態様で効果的に把持することを保証できる。
【００６４】
更に、樹脂バネ部２６ｅの内径２６ｒが当接面２５ｔに対応する部位の内径２５ｒよりも大きいため、樹脂バネ部２６ｅが縮んで内径側に膨らむ場合でも、チップホルダー２３に接触することはない。
【００６５】
また、本実施形態の出没式筆記具２０によれば、切欠きとしての４本のスリット２５ｓが環状部材２５の周方向に等間隔に配置されており、各スリット２５ｓが環状部材２５の軸方向に延びているため、環状部材２５の内径が周方向にバランス良く縮径することができる。
【００６６】
また、当接面２５ｔと案内面１１ｔとが、互いに対応する切頭円錐面状と凹切頭円錐面状であることにより、環状部材２５の当接面２５ｔは周方向にバランスよく荷重を受けることができ、結果的に環状部材２５が周方向にバランス良く縮径することができる。このように、当接面２５ｔと案内面１１ｔとは、互いに前端に向かって先細状であることが好ましい。先細状の当接面２５ｔは、円柱状の環状部材２５の前端外周にＲを設けることでも、形成され得る。また、先細状の当接面２５ｔは、軸線周りに回転対称な凸曲面を有していて、先細状の案内面１１ｔは、軸線周りに回転対称であって前記凸曲面の曲率よりも緩やかな曲率の凹曲面または凹切頭円錐面であってもよい。
【００６７】
なお、本実施形態の出没式筆記具２０では、環状部材２５がチップホルダー２３の先端部２３ｄの領域で軸方向に移動可能であって、環状部材２５が縮径する時にはチップホルダー２３の先端部２３ｄの領域を把持するようになっているが、本発明はこれに限定されない。例えば、環状部材２５がチップ２４の領域で軸方向に移動可能であって、環状部材２５が縮径する時にチップ２４の領域を把持するようになっていてもよい。
【００６８】
また、スリット２５ｓの数、サイズ、形状等を適宜に変更することによって、環状部材２５の弾性（縮径のしやすさ）の程度を調整することができる。また、環状部材２５の材料及び／または肉厚を変更することによっても、環状部材２５の弾性（縮径のしやすさ）の程度を調整することができる。
【００６９】
また、スリット２６ｓの数、サイズ、形状等を適宜に変更することによって、樹脂バネ部２６ｅの弾性（伸縮のしやすさ）の程度を調整することができる。スリット２６ｓは、軸方向に垂直な方向に延びる態様が好適であるが、軸方向に対して斜めに（例えば螺旋状に）延びる態様であってもよい。
【００７０】
また、樹脂バネ部２６ｅの肉厚を変更することによっても、樹脂バネ部２６ｅの弾性（伸縮のしやすさ）の程度を調整することができる。更に、樹脂バネ部２６ｅは、当接面２５ｔ及び円筒部２５ａとは別体の樹脂バネ部材として構成されて、円筒部２５ａに接合されてもよい。この場合、樹脂バネ部材の材料を調整することによっても、当該樹脂バネ部材の弾性（縮径のしやすさ）の程度を調整することができる。
【００７１】
更に、樹脂バネ部２６ｅ（あるいは別体の樹脂バネ部材）としては、スリット２６ｓを有する形態に限定されず、軸方向に伸縮する蛇腹構造を有する形態が採用されてもよい。
【００７２】
＜第３実施形態＞
図１１は、本発明の第３実施形態における出没式筆記具３０の概略縦断面図であって、チップ３４（筆記体）が突出していない状態を示す図である。図１２は、本実施形態の出没式筆記具３０の先端部分の拡大縦断面図である。図１３は、チップ３４（筆記体）が突出した状態における本実施形態の出没式筆記具３０の先端部分の拡大縦断面図である。
【００７３】
また、図１４（ａ）は、本実施形態の出没式筆記具３０の環状部材１５とコイルバネ１６とカラー部材３２の斜視図であり、図１４（ｂ）は、環状部材１５とコイルバネ１６とカラー部材３２の側面図であり、図１４（ｃ）は、環状部材１５とコイルバネ１６とカラー部材３２の正面図（先端側から見た図）であり、図１４（ｄ）は、環状部材１５とコイルバネ１６とカラー部材３２の背面図である。
【００７４】
更に、図１５は、本実施形態の出没式筆記具３０において、交換等のためチップホルダー３３を引き抜いた状態を示す概略図である。
【００７５】
図１１乃至図１５に示す第３実施形態の出没式筆記具３０は、第１実施形態及び第２実施形態と同様、前端に開口を有する円筒形状の軸筒１１を備えている。図１１乃至図１３に示すように、当該軸筒１１は、本実施形態においても、後方部１１ａ、内筒部１１ｂ、前方部１１ｃ及び口金部１１ｄを有しており、後方部１１ａと内筒部１１ｂとは、ネジ結合（螺合）によって取り外し可能に固定されており、内筒部１１ｂと前方部１１ｃとは、二色成形により一体に形成されている。もっとも、後方部１１ａと内筒部１１ｂとは、嵌め合い結合によって固定されていてもよいし、一体に形成されていてもよい。内筒部１１ｂと前方部１１ｃも、嵌め合い結合によって固定されていてもよい。一方、口金部１１ｄは、ネジ結合（螺合）によって、内筒部１１ｂに取り外し可能に固定されている。口金部１１ｄの材質は、金属に限らず、樹脂でもよい。
【００７６】
軸筒１１の内部には、軸筒１１の軸方向に移動可能なチップホルダー３３が収容されている。チップホルダー３３の前端に、筆記体であるチップ３４が固定されている。チップ３４は、チップホルダー３３の移動に伴って、図１２及び図１３に示すように、軸筒１１の開口から出没可能となっている。
【００７７】
チップホルダー３３は、図１５に示すように、基端側から先端側に向かって、基端部３３ａ、中間カラー部３３ｍ及び先端部３３ｄを当該順序で有している。基端部３３ａ、中間カラー部３３ｍ及び先端部３３ｄは、本実施形態ではいずれも円筒形状の部位であり、それらの断面直径の相互関係は、基端部３３ａ＞中間カラー部３３ｍ＞先端部３３ｄとなっている。
【００７８】
本実施形態では、特に図１２に示すように、チップホルダー３３の先端部３３ｄの外周に樹脂製（例えばポリアセタール製）または金属製（例えば真鍮製）の環状部材１５が遊嵌されている。環状部材１５は、同様にチップホルダー３３の先端部３３ｄの外周を遊嵌状態で（僅かな隙間を空けて）取り囲むコイルバネ１６（弾性部材の一例）を介して、図１４（ａ）及び図１４（ｂ）に示すように、カラー部材３２の第２カラー部３３ｃに固定されている。そして、当該カラー部材３２の第１カラー部３３ｂが、図１２及び図１３に示すように、チップホルダー３３の中間カラー部３３ｍによって軸方向に当接支持されている。これにより、コイルバネ１６の伸縮変形に伴って、環状部材１５は、チップホルダー３３の先端部３３ｄに対して当該チップホルダー３３の軸方向に移動可能となっている。
【００７９】
本実施形態のカラー部材３２には、コイルバネ１６と第２カラー部３３ｃとの固定を補助するために、バネ固定補助部３３ｆが設けられている。すなわち、カラー部材３２は、基端側から先端側に向かって、第１カラー部３３ｂ、第２カラー部３３ｃ及びバネ固定補助部３３ｆを当該順序で有している。第１カラー部３３ｂ、第２カラー部３３ｃ及びバネ固定補助部３３ｆは、本実施形態ではいずれも円筒形状の部位であり、それらの断面直径の相互関係は、第１カラー部３３ｂ＞第２カラー部３３ｃ＞バネ固定補助部３３ｆとなっている。
【００８０】
本実施形態の環状部材１５及びコイルバネ１６は、それぞれ、第１実施形態の環状部材１５及びコイルバネ１６と同一である。従って、対応する部材に同一の符号が用られている。
【００８１】
すなわち、図４（ａ）乃至図４（ｅ）に示したように、環状部材１５の外周の前方側領域には、前端に向かって先細状の当接面として切頭円錐面状の当接面１５ｔが形成されており、当該当接面１５ｔの後方側には、大外径円筒部１５ａが連続して設けられ、更にその後方側には、小外径円筒部１５ｂが段差を介して設けられている。
【００８２】
また、環状部材１５には、切欠きとして、４本のスリット１５ｓが設けられており、図４（ａ）乃至図４（ｅ）に示したように、４本のスリット１５ｓは、環状部材１５の周方向に等間隔に（９０°おきに）配置されている。また、４本のスリット１５ｓは、いずれも、環状部材１５の軸方向に前端から小径円筒部１５ｂの略中央まで延びており、当接面１５ｔにおいて荷重を受ける時、環状部材１５の内径は柔軟に縮径するようになっており、且つ、当該荷重が解除される時、環状部材１５の内径は弾性的に復帰するようになっている。
【００８３】
一方、図１２及び図１３に示すように、軸筒１１の口金部１１ｄの内面の一部に、前端に向かって先細状の案内面として凹切頭円錐面状の案内面１１ｔが形成されている。これにより、当接面１５ｔは、チップホルダー３３の前端側への移動に伴って（図１２→図１３）、案内面１１ｔから荷重を受けるようになっている。
【００８４】
その他、本実施形態の出没式筆記具３０には、チップ３４の没入操作（例えばチップ３４の突出状態を維持するロック機構を解除するための筆記具後端部に設けられた押圧ボタンの押圧操作）がなされた時に、チップホルダー３３を自動的に没入させるための第２コイルバネ１２（第２弾性部材）が設けられている。第２コイルバネ１２は、コイルバネ１６の更に外周を取り囲むように、口金部１１ｄの内面に設けられた肩部と、カラー部材３２の第１カラー部３３ｂと、の間に挿嵌されている。
【００８５】
本実施形態の第２コイルバネ１２は、図１５に示すように、前方端側で口金部１１ｄの内面に固定され、後方端側でカラー部材３２の第１カラー部３３ｂに固定されている。これにより、環状部材１５及びコイルバネ１６が、カラー部材３２及び第２コイルバネ１２を介して、口金部１１ｄの内面に支持固定されている。
【００８６】
以上のような構成の出没式筆記具３０は、以下のように作用する。
【００８７】
非使用時においては、出没式筆記具３０のチップ３４（筆記体）は、図１２に示すような没入状態にある。コイルバネ１６の軸方向長さは、１０．６ｍｍであり、第２コイルバネ１２の軸方向長さは、１５．９ｍｍである。そして、チップの突出操作（例えば筆記具後端部に設けられた押圧ボタンの押圧操作）がなされると、出没式筆記具３０のチップ３４（筆記体）は、図１３に示すような突出状態になる。通常は、当該突出状態においてチップホルダー３３の位置がロックされ、その後にチップの没入操作がなされるまで、チップ３４の突出状態が維持される。コイルバネ１６の軸方向長さは、８．０ｍｍであり（２．６ｍｍ圧縮）、第２コイルバネ１２の軸方向長さは、８．９ｍｍである（７．０ｍｍ圧縮）。
【００８８】
図１２の没入状態から図１３の突出状態に至る過程において、チップホルダー３３の前端側への移動に伴って、環状部材１５の当接面１５ｔが口金部１１ｄの案内面１１ｔから荷重を受ける。この時、環状部材１５の４本のスリット１５ｓの存在によって、環状部材１５の内径が縮径する（図１２→図１３）。この結果、図１３に示すように、口金部１１ｄと環状部材１５とが協働して、チップホルダー３３の先端部３３ｄをガタつき（遊び）の無い態様で把持することができる。
【００８９】
更に、チップホルダー３３と環状部材１５とがコイルバネ１６によって互いに相対移動可能に接続されているため、環状部材１５の内径の縮径の程度等について高精度の寸法管理をしなくても、チップホルダー３３の先端部３３ｄをガタつき（遊び）の無い態様で効果的に把持することを保証できる。
【００９０】
その後、チップの没入操作（例えば筆記具後端部に設けられた押圧ボタンの再押圧操作）がなされると、例えば不図示のロック機構が解除され、出没式筆記具３０のチップ３４（筆記体）は第２コイルスプリング１２の作用によって図１２に示す没入状態に戻る。
【００９１】
図１３の突出状態から図１２の没入状態に至る過程において、チップホルダー３３の後端側への移動に伴って、環状部材１５の当接面１５ｔが口金部１１ｄの案内面１１ｔから受けていた荷重が消失する。これに伴って、縮径していた環状部材１５の内径が元の状態に戻る（図１３→図１２）。
【００９２】
以上の通り、本実施形態の出没式筆記具３０によれば、チップホルダー３３の前端側への移動に伴って環状部材１５の当接面１５ｔが口金部１１ｄの案内面１１ｔから荷重を受けることによって、環状部材１５のスリット１５ｓの存在によって環状部材１５の内径が縮径する。これにより、口金部１１ｄと環状部材１５とが協働してチップホルダー３３の先端部３３ｄをガタつき（遊び）の無い態様で把持することができる。更に、チップホルダー３３と環状部材１５とがコイルバネ１６によって互いに相対移動可能に接続されていることにより、環状部材１５の内径の縮径の程度等について高精度の寸法管理をしなくても、チップホルダー３３の先端部３３ｄをガタつき（遊び）の無い態様で効果的に把持することを保証できる。
【００９３】
また、本実施形態の出没式筆記具３０によれば、切欠きとしての４本のスリット１５ｓが環状部材１５の周方向に等間隔に配置されており、各スリット１５ｓが環状部材１５の軸方向に延びているため、環状部材１５の内径が周方向にバランス良く縮径することができる。
【００９４】
また、当接面１５ｔと案内面１１ｔとが、互いに対応する切頭円錐面状と凹切頭円錐面状であることにより、環状部材１５の当接面１５ｔは周方向にバランスよく荷重を受けることができ、結果的に環状部材１５が周方向にバランス良く縮径することができる。このように、当接面１５ｔと案内面１１ｔとは、互いに前端に向かって先細状であることが好ましい。先細状の当接面１５ｔは、円柱状の環状部材１５の前端外周にＲを設けることでも、形成され得る。また、先細状の当接面１５ｔは、軸線周りに回転対称な凸曲面を有していて、先細状の案内面１１ｔは、軸線周りに回転対称であって前記凸曲面の曲率よりも緩やかな曲率の凹曲面または凹切頭円錐面であってもよい。
【００９５】
なお、本実施形態の出没式筆記具３０では、環状部材１５がチップホルダー３３の先端部３３ｄの領域で軸方向に移動可能であって、環状部材１５が縮径する時にはチップホルダー３３の先端部３３ｄの領域を把持するようになっているが、本発明はこれに限定されない。例えば、環状部材１５がチップ３４の領域で軸方向に移動可能であって、環状部材１５が縮径する時にチップ３４の領域を把持するようになっていてもよい。
【００９６】
また、スリット１５ｓの数、サイズ、形状等を適宜に変更することによって、環状部材１５の弾性（縮径のしやすさ）の程度を調整することができる。また、環状部材１５の材料及び／または肉厚を変更することによっても、環状部材１５の弾性（縮径のしやすさ）の程度を調整することができる。
【００９７】
また、本実施形態では、環状部材１５とカラー部材３２とがコイルバネ１６を介して互いに固定されており、また、カラー部材３２と口金部１１とが第２コイルバネ１２を介して互いに固定されている。すなわち、チップホルダー３３の方に環状部材１５を設けておく必要がないため、従来のチップホルダーを有する既存の交換用レフィルをも利用することができる。
【００９８】
従って、本実施形態の発明は、既存の交換用レフィルを利用することが可能な、出没式筆記具用の軸筒として把握することも可能である。この場合、本実施形態は、前端にチップ３４が固定されたチップホルダー３３を軸方向に移動可能に収容可能であって、前端に開口を有し、チップホルダー３３の移動に伴ってチップ３４を前記開口から出没させることが可能な出没式筆記具用の軸筒１１として説明可能である。
【００９９】
当該軸筒１１は、チップホルダー３３を収容した状態において当該チップホルダー３３またはチップ３４の外周に遊嵌して当該遊嵌時においてチップホルダー３４またはチップ３４に対してチップホルダー３３またはチップ３４の軸方向に移動可能な環状部材１５と、環状部材１５にコイルバネ１６を介して接続されチップホルダー３３に当接可能なカラー部材３２と、カラー部材３２を軸筒１１の内面に支持する第２コイルバネ１２と、を備えている。そして、環状部材１５の外周の少なくとも一部には、前端に向かって先細状の当接面１５ｔが形成されており、環状部材１５の一部には、切欠きとしてのスリット１５ｓが形成されており、当接面１５ｔにおいて荷重を受ける時に当該環状部材１５の内径が縮径するようになっている。一方、軸筒１１の口金部１１ｄの内面の一部には、前端に向かって先細状の案内面１１ｔが形成されており、前記当接面１５ｔは、チップホルダー３３の前端側への移動に伴って、前記案内面１１ｔから前記荷重を受けるようになっている。
【０１００】
このような軸筒１１によれば、チップホルダー３３の前端側への移動に伴って環状部材１５の当接面１５ｔが口金部１１ｄの案内面１１ｔから荷重を受けることによって、環状部材１５のスリット１５ｓの存在によって環状部材１５の内径が縮径する。これにより、口金部１１ｄと環状部材１５とが協働してチップホルダー３３の先端部３３ｄをガタつき（遊び）の無い態様で把持することができる。更に、チップホルダー３３と環状部材１５とがコイルバネ１６によって互いに相対移動可能に接続されていることにより、環状部材１５の内径の縮径の程度等について高精度の寸法管理をしなくても、チップホルダー３３の先端部３３ｄをガタつき（遊び）の無い態様で効果的に把持することを保証できる。
【０１０１】
＜第４実施形態＞
図１６は、本発明の第４実施形態における出没式筆記具４０の概略縦断面図であって、チップ３４（筆記体）が突出していない状態を示す図である。図１７は、本実施形態の出没式筆記具４０の先端部分の拡大縦断面図である。図１８は、チップ３４（筆記体）が突出した状態における本実施形態の出没式筆記具４０の先端部分の拡大縦断面図である。
【０１０２】
また、図１９（ａ）は、本実施形態の出没式筆記具４０の環状部材２５及びカラー部材４２の斜視図であり、図１９（ｂ）は、環状部材２５及びカラー部材４２の側面図であり、図１９（ｃ）は、図１９（ｂ）のＣ−Ｃ線断面図であり、図１９（ｄ）は、環状部材２５及びカラー部材４２の正面図（先端側から見た図）であり、図１９（ｅ）は、環状部材２５及びカラー部材４２の背面図である。更に、図１９（ｆ）は、図１９（ｃ）のＦ部の拡大図である。
【０１０３】
更に、図２０は、本実施形態の出没式筆記具４０において、交換等のためチップホルダー３３を引き抜いた状態を示す概略図である。
【０１０４】
本実施形態の環状部材チップホルダー３３及びチップ３４は、それぞれ、第３実施形態のチップホルダー３３及びチップ３４と同一である。従って、対応する部材に同一の符号が用られている。
【０１０５】
図１６乃至図２０に示す第４実施形態の出没式筆記具４０は、第１実施形態乃至第３実施形態と同様、前端に開口を有する円筒形状の軸筒１１を備えている。図１６乃至図１８に示すように、当該軸筒１１は、本実施形態においても、後方部１１ａ、内筒部１１ｂ、前方部１１ｃ及び口金部１１ｄを有しており、後方部１１ａと内筒部１１ｂとは、ネジ結合（螺合）によって取り外し可能に固定されており、内筒部１１ｂと前方部１１ｃとは、二色成形により一体に形成されている。もっとも、後方部１１ａと内筒部１１ｂとは、嵌め合い結合によって固定されていてもよいし、一体に形成されていてもよい。内筒部１１ｂと前方部１１ｃも、嵌め合い結合によって固定されていてもよい。一方、口金部１１ｄは、ネジ結合（螺合）によって、内筒部１１ｂに取り外し可能に固定されている。口金部１１ｄの材質は、金属に限らず、樹脂でもよい。
【０１０６】
軸筒１１の内部には、軸筒１１の軸方向に移動可能なチップホルダー３３が収容されている。チップホルダー３３の前端に、筆記体であるチップ３４が固定されている。チップ３４は、チップホルダー３３の移動に伴って、図１７及び図１８に示すように、軸筒１１の開口から出没可能となっている。
【０１０７】
チップホルダー３３は、第３実施形態と同様、図２０に示すように、基端側から先端側に向かって、基端部３３ａ、中間カラー部３３ｍ及び先端部３３ｄを当該順序で有している。基端部３３ａ、中間カラー部３３ｍ及び先端部３３ｄは、本実施形態でもいずれも円筒形状の部位であり、それらの断面直径の相互関係は、基端部３３ａ＞中間カラー部３３ｍ＞先端部３３ｄとなっている。
【０１０８】
本実施形態では、特に図１７に示すように、チップホルダー３３の先端部３３ｄの外周に樹脂製（例えばポリアセタール製）の環状部材２５が遊嵌されている。本実施形態の環状部材２５は、第２実施形態と同様、その基端側において、筒状の樹脂バネ部４６ｅと一体成形されている。樹脂バネ部４６ｅには、軸方向に垂直な方向に延びるスリット４６ｓが多数形成されており、軸方向に伸縮可能となっている。
【０１０９】
図１９（ａ）乃至図１９（ｆ）に示すように、本実施形態の樹脂バネ部４６ｅは、第２実施形態の樹脂バネ部２６ｅと略同様、上下に向き合う略半円状のスリット４６ｓの対（更に図９（ｆ）参照）と、左右に向き合う略半円状のスリット４６ｓの対（更に図９（ｇ）参照）とが、軸方向に１対毎に交互に、それぞれ７対ずつ形成されている。対をなすスリット４６ｓ同士の間の残部は、リブ４６ｂと呼ばれている。また、本実施形態では、各スリット４６ｓの幅（軸方向長さ）は均一で、軸方向に隣接するスリット４６ｓ間の軸方向間隔も均一で、前者は後者よりも僅かに小さい。もっとも、これらの寸法上の関係は、所望の弾性程度を実現するべく、後述のように適宜に調整され得る。
【０１１０】
樹脂バネ部４６ｅの更に基端側は、図１９（ａ）及び図１９（ｂ）に示すように、カラー部材４２の第２カラー部４３ｃに固定されている。そして、当該カラー部材４２の第１カラー部４３ｂが、図１７及び図１８に示すように、チップホルダー３３の中間カラー部３３ｍによって軸方向に当接支持されている。これにより、樹脂バネ部４６ｅの伸縮変形に伴って、環状部材２５は、チップホルダー３３の先端部３３ｄに対して当該チップホルダー３３の軸方向に移動可能となっている。
【０１１１】
また、特に図１９（ａ）乃至図１９（ｅ）に示すように、第２実施形態と同様、環状部材２５の外周の前方側領域には、前端に向かって先細状の当接面として切頭円錐面状の当接面２５ｔが形成されており、当該当接面２５ｔの後方側には、円筒部２５ａが連続して設けられ、更にその後方側に、円筒部２５ａと同径の筒状の樹脂バネ部４６ｅが設けられている。また、特に図１９（ｆ）に示すように、樹脂バネ部４６ｅの内径４６ｒは、当接面２５ｔに対応する部位の内径２５ｒよりも大きくなっている。
【０１１２】
更に第２実施形態と同様、本実施形態の環状部材２５にも、切欠きとして、４本のスリット２５ｓが設けられている。図１９（ａ）乃至図１９（ｅ）に示すように、４本のスリット２５ｓは、環状部材２５の周方向に等間隔に（９０°おきに）配置されている。また、４本のスリット２５ｓは、いずれも、環状部材２５の軸方向に前端から円筒部２５ａの後端近傍まで延びている。これにより、当接面２５ｔにおいて荷重を受ける時、環状部材２５の内径は柔軟に縮径するようになっており、且つ、当該荷重が解除される時、環状部材２５の内径は弾性的に復帰するようになっている。
【０１１３】
また、図１７及び図１８に示すように、軸筒１１の口金部１１ｄの内面の一部に、前端に向かって先細状の案内面として凹切頭円錐面状の案内面１１ｔが形成されている。これにより、当接面２５ｔは、チップホルダー３３の前端側への移動に伴って（図１７→図１８）、案内面１１ｔから荷重を受けるようになっている。
【０１１４】
その他、本実施形態の出没式筆記具４０においても、チップ３４の没入操作（例えばチップ３４の突出状態を維持するロック機構を解除するための筆記具後端部に設けられた押圧ボタンの押圧操作）がなされた時に、チップホルダー３３を自動的に没入させるための第２コイルバネ１２（第２弾性部材）が設けられている。第２コイルバネ１２は、環状部材２５の更に外周を取り囲むように、口金部１１ｄの内面に設けられた肩部と、カラー部材４２の第１カラー部４３ｂと、の間に挿嵌されている。
【０１１５】
本実施形態の第２コイルバネ１２は、図２０に示すように、前方端側で口金部１１ｄの内面に固定され、後方端側でカラー部材４２の第１カラー部４３ｂに固定されている。これにより、環状部材２５が、カラー部材４２及び第２コイルバネ１２を介して、口金部１１ｄの内面に支持固定されている。
【０１１６】
以上のような構成の出没式筆記具４０は、以下のように作用する。
【０１１７】
非使用時においては、出没式筆記具４０のチップ３４（筆記体）は、図１７に示すような没入状態にある。樹脂バネ部４６ｅを含む環状部材２５の軸方向長さは、１１．８ｍｍであり、第２コイルバネ１２の軸方向長さは、１５．９ｍｍである。そして、チップの突出操作（例えば筆記具後端部に設けられた押圧ボタンの押圧操作）がなされると、出没式筆記具４０のチップ３４（筆記体）は、図１８に示すような突出状態になる。通常は、当該突出状態においてチップホルダー３３の位置がロックされ、その後にチップの没入操作がなされるまで、チップ３４の突出状態が維持される。樹脂バネ部４６ｅを含む環状部材２５の軸方向長さは、１１．１ｍｍであり（０．７ｍｍ圧縮）、第２コイルバネ１２の軸方向長さは、８．９ｍｍである（７．０ｍｍ圧縮）。
【０１１８】
図１７の没入状態から図１８の突出状態に至る過程において、チップホルダー３３の前端側への移動に伴って、環状部材２５の当接面２５ｔが口金部１１ｄの案内面１１ｔから荷重を受ける。この時、環状部材２５の４本のスリット２５ｓの存在によって、環状部材２５の内径が縮径する（図３（ｂ）参照）。この結果、図１８に示すように、口金部１１ｄと環状部材２５とが協働して、チップホルダー３３の先端部３３ｄをガタつき（遊び）の無い態様で把持することができる。
【０１１９】
更に、チップホルダー３３と環状部材２５の当接面２５ｔとは樹脂バネ部４６ｅの伸縮作用によって互いに相対移動可能であるため、環状部材２５の内径の縮径の程度等について高精度の寸法管理をしなくても、チップホルダー３３の先端部３３ｄをガタつき（遊び）の無い態様で効果的に把持することを保証できる。
【０１２０】
その後、チップの没入操作（例えば筆記具後端部に設けられた押圧ボタンの再押圧操作）がなされると、例えば不図示のロック機構が解除され、出没式筆記具４０のチップ３４（筆記体）は第２コイルスプリング１２の作用によって図１７に示す没入状態に戻る。
【０１２１】
図１８の突出状態から図１７の没入状態に至る過程において、チップホルダー３３の後端側への移動に伴って、環状部材２５の当接面２５ｔが口金部１１ｄの案内面１１ｔから受けていた荷重が消失する。これに伴って、縮径していた環状部材２５の内径が元の状態に戻る（図１８→図１７）。
【０１２２】
以上の通り、本実施形態の出没式筆記具４０によれば、チップホルダー３３の前端側への移動に伴って環状部材２５の当接面２５ｔが口金部１１ｄの案内面１１ｔから荷重を受けることによって、環状部材２５のスリット２５ｓの存在によって環状部材２５の内径が縮径する。これにより、口金部１１ｄと環状部材２５とが協働してチップホルダー３３の先端部３３ｄをガタつき（遊び）の無い態様で把持することができる。更に、チップホルダー３３と環状部材２５の当接面２５ｔとが樹脂バネ部４６ｅによって互いに相対移動可能であることにより、環状部材２５の内径の縮径の程度等について高精度の寸法管理をしなくても、チップホルダー３３の先端部３３ｄをガタつき（遊び）の無い態様で効果的に把持することを保証できる。
【０１２３】
更に、樹脂バネ部４６ｅの内径４６ｒが当接面２５ｔに対応する部位の内径２５ｒよりも大きいため、樹脂バネ部４６ｅが縮んで内径側に膨らむ場合でも、チップホルダー３３に接触することはない。
【０１２４】
また、本実施形態の出没式筆記具４０によれば、切欠きとしての４本のスリット２５ｓが環状部材２５の周方向に等間隔に配置されており、各スリット２５ｓが環状部材２５の軸方向に延びているため、環状部材２５の内径が周方向にバランス良く縮径することができる。
【０１２５】
また、当接面２５ｔと案内面１１ｔとが、互いに対応する切頭円錐面状と凹切頭円錐面状であることにより、環状部材２５の当接面２５ｔは周方向にバランスよく荷重を受けることができ、結果的に環状部材２５が周方向にバランス良く縮径することができる。このように、当接面２５ｔと案内面１１ｔとは、互いに前端に向かって先細状であることが好ましい。先細状の当接面２５ｔは、円柱状の環状部材２５の前端外周にＲを設けることでも、形成され得る。また、先細状の当接面２５ｔは、軸線周りに回転対称な凸曲面を有していて、先細状の案内面１１ｔは、軸線周りに回転対称であって前記凸曲面の曲率よりも緩やかな曲率の凹曲面または凹切頭円錐面であってもよい。
【０１２６】
なお、本実施形態の出没式筆記具４０では、環状部材２５がチップホルダー３３の先端部３３ｄの領域で軸方向に移動可能であって、環状部材２５が縮径する時にはチップホルダー３３の先端部３３ｄの領域を把持するようになっているが、本発明はこれに限定されない。例えば、環状部材２５がチップ３４の領域で軸方向に移動可能であって、環状部材２５が縮径する時にチップ３４の領域を把持するようになっていてもよい。
【０１２７】
また、スリット２５ｓの数、サイズ、形状等を適宜に変更することによって、環状部材２５の弾性（縮径のしやすさ）の程度を調整することができる。また、環状部材２５の材料及び／または肉厚を変更することによっても、環状部材２５の弾性（縮径のしやすさ）の程度を調整することができる。
【０１２８】
また、スリット４６ｓの数、サイズ、形状等を適宜に変更することによって、樹脂バネ部４６ｅの弾性（伸縮のしやすさ）の程度を調整することができる。スリット４６ｓは、軸方向に垂直な方向に延びる態様が好適であるが、軸方向に対して斜めに（例えば螺旋状に）延びる態様であってもよい。
【０１２９】
また、樹脂バネ部４６ｅの肉厚を変更することによっても、樹脂バネ部４６ｅの弾性（伸縮のしやすさ）の程度を調整することができる。更に、樹脂バネ部４６ｅは、当接面２５ｔ及び円筒部２５ａとは別体の樹脂バネ部材として構成されて、円筒部２５ａに接合されてもよい。この場合、樹脂バネ部材の材料を調整することによっても、当該樹脂バネ部材の弾性（縮径のしやすさ）の程度を調整することができる。
【０１３０】
更に、樹脂バネ部４６ｅ（あるいは別体の樹脂バネ部材）としては、スリット４６ｓを有する形態に限定されず、軸方向に伸縮する蛇腹構造を有する形態が採用されてもよい。
【０１３１】
また、本実施形態では、環状部材２５の樹脂バネ部４６ｅとカラー部材４２とが互いに固定されており、また、カラー部材４２と口金部１１とが第２コイルバネ１２を介して互いに固定されている。すなわち、チップホルダー３３の方に環状部材２５を設けておく必要がないため、従来のチップホルダーを有する既存の交換用レフィルをも利用することができる。
【０１３２】
従って、本実施形態の発明も、既存の交換用レフィルを利用することが可能な、出没式筆記具用の軸筒として把握することが可能である。この場合、本実施形態も、前端にチップ３４が固定されたチップホルダー３３を軸方向に移動可能に収容可能であって、前端に開口を有し、チップホルダー３３の移動に伴ってチップ３４を前記開口から出没させることが可能な出没式筆記具用の軸筒１１として説明可能である。
【０１３３】
当該軸筒１１は、チップホルダー３３を収容した状態において当該チップホルダー３３またはチップ３４の外周に遊嵌して当該遊嵌時においてチップホルダー３４またはチップ３４に対してチップホルダー３３またはチップ３４の軸方向に移動可能な環状部材２５と、環状部材２５の基端側の部位である樹脂バネ部材２６ｅの更に基端側に接続されチップホルダー３３に当接可能なカラー部材４２と、カラー部材４２を軸筒１１の内面に支持する第２コイルバネ１２と、を備えている。そして、環状部材２５の外周の少なくとも一部には、前端に向かって先細状の当接面２５ｔが形成されており、環状部材２５の一部には、切欠きとしてのスリット２５ｓが形成されており、当接面２５ｔにおいて荷重を受ける時に当該環状部材２５の内径が縮径するようになっている。一方、軸筒１１の口金部１１ｄの内面の一部には、前端に向かって先細状の案内面１１ｔが形成されており、前記当接面２５ｔは、チップホルダー３３の前端側への移動に伴って、前記案内面１１ｔから前記荷重を受けるようになっている。
【０１３４】
このような軸筒１１によれば、チップホルダー３３の前端側への移動に伴って環状部材２５の当接面２５ｔが口金部１１ｄの案内面１１ｔから荷重を受けることによって、環状部材２５のスリット２５ｓの存在によって環状部材１５の内径が縮径する。これにより、口金部１１ｄと環状部材２５とが協働してチップホルダー３３の先端部３３ｄをガタつき（遊び）の無い態様で把持することができる。更に、チップホルダー３３と環状部材２５とが樹脂バネ部材４６ｅによって互いに相対移動可能であることにより、環状部材２５の内径の縮径の程度等について高精度の寸法管理をしなくても、チップホルダー３３の先端部３３ｄをガタつき（遊び）の無い態様で効果的に把持することを保証できる。
【符号の説明】
【０１３５】
１０、２０、３０、４０  出没式筆記具
１１  軸筒（各実施形態共通）
１１ａ  後方部
１１ｂ  内筒部
１１ｃ  前方部
１１ｄ  口金部
１１ｔ  案内面
１２  第２コイルバネ（第２弾性部材の一例：各実施形態共通）
１３  チップホルダー（第１実施形態）
１３ａ  基端部
１３ｂ  第１カラー部
１３ｃ  第２カラー部
１３ｄ  先端部
１３ｆ  バネ固定補助部
１４  チップ（筆記体）（第１実施形態）
１５  環状部材（第１及び第３実施形態共通）
１５ａ  大外径円筒部
１５ｂ  小外径円筒部
１５ｔ  当接面
１５ｓ  スリット
１６  コイルバネ（弾性部材の一例：第１及び第３実施形態共通）
２３  チップホルダー（第２実施形態）
２３ａ  基端部
２３ｂ  第１カラー部
２３ｃ  第２カラー部
２３ｄ  先端部
２４  チップ（筆記体）
２５  環状部材（第２及び第４実施形態共通）
２５ａ  円筒部
２５ｔ  当接面
２５ｓ  スリット
２５ｒ  内径
２６ｅ  樹脂バネ部（弾性部材の一例：第２実施形態）
２６ｓ  スリット
２６ｂ  リブ
２６ｒ  内径
３２  カラー部材
３３  チップホルダー（第３及び第４実施形態共通）
３３ａ  基端部
３３ｍ  中間カラー部
３３ｄ  先端部
３３ｂ  第１カラー部
３３ｃ  第２カラー部
３４  チップ（筆記体）（第３及び第４実施形態共通）
４２  カラー部材
４３ｂ  第１カラー部
４３ｃ  第２カラー部
４６ｅ  樹脂バネ部（弾性部材の一例：第４実施形態）
４６ｓ  スリット
４６ｂ  リブ
４６ｒ  内径
【図１】
2019111657.tif 000003
【図２】
2019111657.tif 000004
【図３】
2019111657.tif 000005
【図４】
2019111657.tif 000006
【図５】
2019111657.tif 000007
【図６】
2019111657.tif 000008
【図７】
2019111657.tif 000009
【図８】
2019111657.tif 000010
【図９】
2019111657.tif 000011
【図１０】
2019111657.tif 000012
【図１１】
2019111657.tif 000013
【図１２】
2019111657.tif 000014
【図１３】
2019111657.tif 000015
【図１４】
2019111657.tif 000016
【図１５】
2019111657.tif 000017
【図１６】
2019111657.tif 000018
【図１７】
2019111657.tif 000019
【図１８】
2019111657.tif 000020
【図１９】
2019111657.tif 000021
【図２０】
2019111657.tif 000022